(57)【要約】【課題】利用環境により、状況に応じた最適な情報を呈示できるようにすること。【解決手段】情報呈示システム１０を、撮影部１１と、周辺情報を取得する周辺情報取得部１４と、登録情報を記憶しておく記憶部１５と、上記周辺情報取得部で取得した周辺情報に基づいて、上記記憶部に記憶された登録情報から解析基礎情報を構築する解析基礎情報構築部１６と、上記撮影部から得られる画像と上記解析基礎情報構築部から得られる解析基礎情報とから、上記画像に関連する情報を取得する関連情報取得部１２と、上記関連情報取得部で取得した関連情報を呈示する呈示部１３とにより構成し、上記解析基礎情報構築部１６は、時刻、日付、季節、天候、気温、湿度、場所、周囲の明るさ、取得画像の平均色／色分布、周囲の音、機種のうち少なくとも１つに基づいて上記解析基礎情報を変化させるようにする。【選択図】      図１
2006157265.tif 000002
【特許請求の範囲】
【請求項１】
撮像部と、
周辺情報を取得する周辺情報取得部と、
登録情報を記憶しておく記憶部と、
上記周辺情報取得部で取得した周辺情報に基づいて、上記記憶部に記憶された登録情報から解析基礎情報を構築する解析基礎情報構築部と、
上記撮像部から得られる画像と上記解析基礎情報構築部から得られる解析基礎情報とから、上記画像に関連する情報を取得する関連情報取得部と、
上記関連情報取得部で取得した関連情報を呈示する呈示部と、
を具備し、
上記解析基礎情報構築部は、時刻、日付、季節、天候、気温、湿度、場所、周囲の明るさ、取得画像の平均色／色分布、周囲の音、機種のうち少なくとも１つに基づいて上記解析基礎情報を変化させることを特徴とする情報呈示システム。
【請求項２】
上記撮像部、上記関連情報取得部、及び上記呈示部は、情報呈示端末に構成され、
上記周辺情報取得部、上記記憶部、及び上記解析基礎情報構築部は、サーバに構成され、
上記情報呈示端末は、通信回線によって上記サーバと接続されていることを特徴とする請求項１に記載の情報呈示システム。
【請求項３】
上記情報呈示端末の関連情報取得部は、複数のサーバから解析基礎情報を取得することを特徴とする請求項２に記載の情報呈示システム。
【請求項４】
上記サーバの解析基礎情報構築部は、さらに複数のサーバから情報を取得し、該情報を組み合わせた上で、上記情報呈示端末へ送信する解析基礎情報を構築することを特徴とする請求項２に記載の情報呈示システム。
【請求項５】
上記撮像部、上記関連情報取得部、上記周辺情報取得部、上記解析基礎情報構築部、及び上記呈示部は、情報呈示端末に構成され、
上記記憶部は、サーバに構成され、
上記情報呈示端末は、通信回線によって上記サーバと接続されていることを特徴とする請求項１に記載の情報呈示システム。
【請求項６】
上記撮像部及び上記呈示部は、情報呈示端末に構成され、
上記関連情報取得部、上記周辺情報取得部、上記解析基礎情報構築部、及び上記記憶部は、サーバに構成され、
上記情報呈示該端末は、通信回線によって上記サーバと接続されていることを特徴とする請求項１に記載の情報呈示システム。
【請求項７】
上記撮像部、上記関連情報取得部、及び上記呈示部は、情報呈示端末に構成され、
上記周辺情報取得部、上記解析基礎情報構築部、及び上記記憶部は、サーバに構成され、
上記情報呈示端末は、通信回線によって上記サーバと接続されており、
上記サーバは、更に、上記関連情報取得部と同等の機能を持つ第二関連情報取得部を有し、
上記第二関連情報取得部は、上記関連情報取得部が取得した解析基礎情報よりも多くの解析基礎情報から関連情報を取得し、上記関連情報取得部で関連情報を取得できなかった場合であっても、該第二関連情報取得部の結果を上記呈示部が呈示することを特徴とする請求項１に記載の情報呈示システム。
【請求項８】
上記解析基礎情報は、画像処理フィルタ、テンプレートサイズ、テンプレート階調、二値化閾値、マッチング閾値のうち少なくとも１つを含むことを特徴とする請求項１に記載の情報呈示システム。
【請求項９】
上記解析基礎情報構築部は、解析基礎情報とする登録情報相互の類似度に基づいて、解析基礎情報に含む画像処理パラメータを設定することを特徴とする請求項１に記載の情報呈示システム。
【請求項１０】
撮像部と、
上記撮像部に関連する周辺情報を取得する周辺情報取得部と、
通信回線を介してサーバからダウンロードした登録情報から、上記周辺情報取得部で取得した周辺情報に基づいて解析基礎情報を構築する解析基礎情報構築部と、
上記撮像部から得られる画像と上記解析基礎情報構築部から得られる解析基礎情報とから、上記画像に関連する情報を取得する関連情報取得部と、
上記関連情報取得部で取得した関連情報を呈示する呈示部と、
を具備し、
上記解析基礎情報構築部は、時刻、日付、季節、天候、気温、湿度、場所、周囲の明るさ、取得画像の平均色／色分布、周囲の音、機種のうち少なくとも１つに基づいて上記解析基礎情報を変化させることを特徴とする情報呈示端末。
【請求項１１】
情報呈示端末から通信回線を介して送信されてくる撮像部から得られる画像及び／または上記撮像部に関連する周辺情報を取得する周辺情報取得部と、
登録情報を記憶しておく記憶部と、
上記周辺情報取得部で取得した周辺情報に基づいて、上記記憶部に記憶された登録情報から解析基礎情報を構築する解析基礎情報構築部と、
を具備し、
上記解析基礎情報構築部は、時刻、日付、季節、天候、気温、湿度、場所、周囲の明るさ、取得画像の平均色／色分布、周囲の音、機種のうち少なくとも１つに基づいて上記解析基礎情報を変化させ、
上記解析基礎情報構築部で構築した上記解析基礎情報を上記情報呈示端末にダウンロードさることで、上記情報呈示端末に、その解析基礎情報と上記撮像部から得られる画像とから上記画像に関連する情報を取得させて、呈示させることを特徴とするサーバ。
【請求項１２】
上記関連情報取得部と同等の機能を持つ第二関連情報取得部を更に具備し、
上記第二関連情報取得部は、上記関連情報取得部が取得した解析基礎情報よりも多くの解析基礎情報から関連情報を取得し、上記関連情報取得部で関連情報を取得できなかった場合であっても、該第二関連情報取得部の結果を上記情報呈示端末が呈示することを特徴とする請求項１１に記載のサーバ。
【発明の詳細な説明】
【技術分野】
【０００１】
本発明は、撮像部から得られる画像に関連する情報を呈示する情報呈示システム、情報呈示端末及びサーバに関する。
【背景技術】
【０００２】
特許文献１には、撮影したロゴの画像を利用しサーバで対応するＵＲＬを見つける技術が開示されている。即ち、携帯機器で雑誌等に印刷された広告中に含まれるロゴマークを撮影し、検索サーバでは、インターネットを介して送られてきたそのロゴマークに最も近いロゴマークを検索して、その検索されたロゴマークに対応するＵＲＬをインターネット経由で上記携帯機器に送ることで、その携帯機器でそのＵＲＬにアクセスしてホームページを閲覧することができるものである。
【０００３】
また、特許文献２には、利用者がＩＤ種別を意識することなくＩＤを読み取る技術が開示されている。即ち、携帯用クライアント装置において、カメラやスキャナで画像を取得し、その画像が１次元バーコード、２次元バーコード、電子透かし入り画像、通常画像であっても、その画像からＩＤを取り出して、無線で外部にあるＩＤ情報データベースに送信し、そのＩＤ情報データベースから情報を無線で受け取るというものである。
【特許文献１】特開２００３−１５９８０号公報
【特許文献２】特開２００４−１７９７８３号公報
【発明の開示】
【発明が解決しようとする課題】
【０００４】
上記特許文献１に開示の技術では、ロゴとＵＲＬが固定的に関連付けされている。しかしながら、周囲の状況、利用する機器の条件等によって、共通のコンテンツや各種パラメータでは利便性が低くなってしまう。例えば、電飾によって、同じ看板であっても、昼と夜とでは見え方がかわる。また、昼と夜とで連絡先がかわることなどもある。このように、ユーザがロゴを撮影した環境によって実際にユーザが求めている情報は異なるので、上記特許文献１に開示の技術では、ユーザの要求に柔軟に対応することは困難である。
【０００５】
また、上記特許文献２に開示の技術では、ＩＤを読み取る上で必要となる各種画像処理パラメータは装置に固定的に保持されていることが暗黙の了解となっている。しかしながら、同一アプリケーションで複数の機種、複数のデータセットをサポートする場合、認識のための条件が固定では、対応できる環境が限られてしまう。即ち、実際の利用状況では、周辺の明るさや端末毎の光学性能の違いによって、パラメータを調整しなければ、安定的に画像処理を行うことは困難である。
【０００６】
本発明は、上記の点に鑑みてなされたもので、利用環境により、状況に応じた最適な情報を呈示することが可能な情報呈示システム、情報呈示端末及びサーバを提供することを目的とする。
【課題を解決するための手段】
【０００７】
本発明の情報呈示システムの一態様は、
撮像部と、
周辺情報を取得する周辺情報取得部と、
登録情報を記憶しておく記憶部と、
上記周辺情報取得部で取得した周辺情報に基づいて、上記記憶部に記憶された登録情報から解析基礎情報を構築する解析基礎情報構築部と、
上記撮像部から得られる画像と上記解析基礎情報構築部から得られる解析基礎情報とから、上記画像に関連する情報を取得する関連情報取得部と、
上記関連情報取得部で取得した関連情報を呈示する呈示部と、
を具備し、
上記解析基礎情報構築部は、時刻、日付、季節、天候、気温、湿度、場所、周囲の明るさ、取得画像の平均色／色分布、周囲の音、機種のうち少なくとも１つに基づいて上記解析基礎情報を変化させることを特徴とする。
【０００８】
また、本発明の情報呈示端末の一態様は、
撮像部と、
上記撮像部に関連する周辺情報を取得する周辺情報取得部と、
通信回線を介してサーバからダウンロードした登録情報から、上記周辺情報取得部で取得した周辺情報に基づいて解析基礎情報を構築する解析基礎情報構築部と、
上記撮像部から得られる画像と上記解析基礎情報構築部から得られる解析基礎情報とから、上記画像に関連する情報を取得する関連情報取得部と、
上記関連情報取得部で取得した関連情報を呈示する呈示部と、
を具備し、
上記解析基礎情報構築部は、時刻、日付、季節、天候、気温、湿度、場所、周囲の明るさ、取得画像の平均色／色分布、周囲の音、機種のうち少なくとも１つに基づいて上記解析基礎情報を変化させることを特徴とする。
【０００９】
また、本発明のサーバの一態様は、
情報呈示端末から通信回線を介して送信されてくる撮像部から得られる画像及び／または上記撮像部に関連する周辺情報を取得する周辺情報取得部と、
登録情報を記憶しておく記憶部と、
上記周辺情報取得部で取得した周辺情報に基づいて、上記記憶部に記憶された登録情報から解析基礎情報を構築する解析基礎情報構築部と、
を具備し、
上記解析基礎情報構築部は、時刻、日付、季節、天候、気温、湿度、場所、周囲の明るさ、取得画像の平均色／色分布、周囲の音、機種のうち少なくとも１つに基づいて上記解析基礎情報を変化させ、
上記解析基礎情報構築部で構築した上記解析基礎情報を上記情報呈示端末にダウンロードさることで、上記情報呈示端末に、その解析基礎情報と上記撮像部から得られる画像とから上記画像に関連する情報を取得させて、呈示させることを特徴とする。
【００１０】
すなわち、本発明の情報呈示システム、情報呈示端末及びサーバにあっては、周辺情報として、時刻、日付、季節、天候、気温、湿度、場所、周囲の明るさ、取得画像の平均色／色分布、周囲の音、機種の少なくとも１つを利用して、この周辺情報に基づいて登録情報から解析基礎情報を構築する。そして、撮像部で撮像した画像に上記解析基礎情報を加味して、上記画像に関連した情報を取得して呈示するものである。
【００１１】
上記周辺情報を取得する周辺情報取得部としては、例えば以下のようなものがある。周辺情報として時刻を採用する場合には、内蔵する時計や、通信回線を介して所定の場所の時刻情報を得る通信部。周辺情報として日付を採用する場合には、内蔵するカレンダ情報や、通信回線を介して所定の場所の日付を得る通信部。周辺情報として天候や気温や湿度を採用する場合には、内蔵する気温・湿度センサ及び当該センサの出力より天候を判断する電子回路や、通信回線を介して所定の場所の気温・湿度・天候情報を得る通信部。周辺情報として周囲の明るさを採用する場合には、内蔵する照度センサや、撮像部で撮像した画像を解析して照度を求める解析回路。周辺情報として取得画像の平均色／色分布を採用する場合には、撮像部で撮像した画像情報を解析する解析回路。周辺情報として周囲の音を採用する場合には、音量センサ。周辺情報として機種を採用する場合には、機種情報を記録する内蔵メモリ。
【００１２】
また、撮像部としては、例えば、ＣＣＤやＣＭＯＳなどの撮像素子及び上記撮像素子の受光面上に結像させる光学系などがある。
【００１３】
記憶部としては、例えば、内蔵又は通信回線を介してアクセス可能なメモリ素子やＨＤＤ（ハードディスクドライブ）などがある。
【００１４】
解析基礎情報構築部としては、例えば内蔵するＣＰＵ及び当該ＣＰＵ上で動作する解析基礎情報構築プログラムなどがある。
【００１５】
さらに、呈示部としては、液晶やプラズマ等のディスプレイ装置などがある。また、必要な情報を発音によって呈示する場合にはスピーカなどがある。
【発明の効果】
【００１６】
本発明によれば、利用環境により、状況に応じた最適な情報を呈示することが可能な情報呈示システム、情報呈示端末及びサーバを提供することができる。
【００１７】
特に、周辺情報として時刻や日付を採用した場合には、例えば、画像情報から電話番号を呈示するような場合に、時刻や日付に応じて呈示する電話番号を、会社の電話番号、自宅の電話番号、携帯の電話番号、等詳細に設定できる。このように、時刻情報や日付情報を加味した情報の呈示ができ、利便性が向上する。
【００１８】
周辺情報として季節や天候を採用した場合には、例えば、画像情報から行楽情報を呈示するような場合に、各季節や天候に応じた行楽地情報が呈示できる。このように、季節情報を加味した情報の呈示ができ、利便性が向上する。
【００１９】
周辺情報として気温や湿度を採用した場合には、例えば、画像情報からお勧め商品情報を呈示するような場合に、操作者の周囲の気温や湿度を加味して選定した商品（飲料、衣料など）を呈示できる。このように、気温や湿度を加味した情報の呈示ができ、利便性が向上する。
【００２０】
周辺情報として場所を採用した場合には、例えば、画像情報から店舗案内を呈示する場合に、近所の店舗を選択して案内情報を呈示できる。このように、場所を加味した情報の呈示ができ、利便性が向上する。
【００２１】
周辺情報として周囲の明るさを採用した場合には、例えば、屋外で撮像した画像情報から関連情報を呈示するような場合に、画像がネオンサインによるものでも、ネオンサインに適したパラメータを選択して正しく認識できる。このように、周囲の明るさを加味した情報の呈示ができ、利便性が向上する。
【００２２】
周辺情報として取得画像の平均色／色分布を採用した場合には、例えば当該平均色／色分布にあった色フィルタを採用することで、正しく認識できる。このように、取得画像の平均色／色分布を加味した情報の呈示ができ、利便性が向上する。
【００２３】
周辺情報として、周囲の音量や機種を採用した場合には、例えば、情報呈示において、発音の音量を適切に調整したり、機種のディスプレイにあった規格の画像を送信したりできる。このように、周囲の音量や機種を加味した情報の呈示ができ、利便性が向上する。
【００２４】
また、周辺情報として機種を採用した場合には、例えば、各機種に対応する適切な画像処理フィルタを設定することや、機種毎に撮像部の性能が異なっていても安定的に取得画像を処理できる。このように、機種毎の条件を考慮した安定的な処理ができ、利便性が向上する。
【発明を実施するための最良の形態】
【００２５】
以下、本発明を実施するための最良の形態を図面を参照して説明する。
【００２６】
［第１実施形態］
図１（Ａ）は、本発明の第１実施形態に係る情報呈示システム１０のブロック構成図である。
【００２７】
本実施形態に係る情報呈示システム１０は、カメラ等の撮像部である撮影部１１と、この撮影部１１から得られるマーカ画像やロゴ画像といった所定の画像に関連する情報を取得する関連情報取得部１２と、その関連情報取得部１２で取得した関連情報を呈示する呈示部１３とを有している。更に、上記撮影部１１に関連する周辺情報を取得する周辺情報取得部１４と、登録情報を記憶しておく記憶部１５と、上記周辺情報取得部１４で取得した周辺情報に基づいて、上記記憶部１５に記憶された登録情報から解析基礎情報を構築する解析基礎情報構築部１６とを備えている。
【００２８】
ここで、上記周辺情報取得部１４で取得する周辺情報は、時刻、日付、季節、天候、気温、湿度、場所、周囲の明るさ、取得画像の平均色／色分布、周囲の音、機種のうち少なくとも１つを含むものであり、上記解析基礎情報構築部１６は、そのような周辺情報に基づいて、上記解析基礎情報を変化させる。即ち、図１（Ｂ）に示すように、上記解析基礎情報構築部１６は、上記周辺情報取得部１４から周辺情報を取得し（ステップＳ１）、その周辺情報に応じて、各種パラメータを設定すると同時に（ステップＳ２）、上記記憶部１５から登録情報を選択的に読み込む（ステップＳ３）。そして、その設定したパラメータと読み込んだ登録情報とを解析基礎情報として統合して（ステップＳ４）、上記関連情報取得部１２に与える。上記関連情報取得部１２は、上記撮影部１１から得られる画像と、この解析基礎情報構築部１６から与えられた解析基礎情報とから、上記画像に関連する情報を取得する。
【００２９】
このような構成の情報呈示システム１０の具体例としては、例えば、以下のようなものが考えられる。
【００３０】
起動時に、周辺情報取得部１４により、日付・時刻情報を取得し、解析基礎情報構築部１６は、記憶部１５内にあるアドレス帳からその時刻に対応した電話番号を取得して、解析基礎情報を構築する。解析基礎情報構築部１６では、このように、予め用意されている情報から最適なものを選択することができる。また、解析基礎情報は、出力情報を含む。つまり、周辺情報に基づいて出力情報を変化させる。例えば、撮影部１１で顔写真付きのアルバムを撮影すると、その顔を認識し、電話番号を表示するアプリケーションを想定すると、平日の９：００〜１８：００であれば、オフィスの電話番号を取得して、解析基礎情報とするが、休日や平日の１８：００以降であれば、自宅の電話番号を取得し、解析基礎情報とすることが考えられる。更に、２２：００以降であれば、同じく自宅の電話番号を取得するものであるが、「緊急時のみ」とのメッセージを追加して、解析基礎情報とするようにしても良い。
【００３１】
また、起動時に、周辺情報取得部１４によって位置情報を取得し、記憶部１５の登録情報（看板）のうち、上記位置情報で示される位置から周囲１ｋｍ四方にある登録情報（看板）から解析基礎情報を構築するようにしても良い。この場合、周辺情報取得部１４は、位置情報を、ＧＰＳ、通信装置がある場合は基地局間の電波強度、撮影対象のマーカや二次元コードに埋め込まれた位置情報、例えば緯度経度や住所等から決定することができる。このような構成とすれば、複数の地域に存在する看板であっても、その場所に対応する情報を呈示することが可能となる。例えば、撮影部１１でＡ社のロゴマークを撮影すると、最寄りの修理受け付け窓口が表示されるようなアプリケーションが提供できる。また、撮影部１１でＢコンビニエンスストアの看板を撮影すると、位置情報を元に現在の天気や天気予報情報を取得して、例えば「今なら傘がＸＸＸ円、まだ在庫があります」というような、当該コンビニエンスストアの販促情報を呈示するようなアプリケーションが提供できる。このように、ナビゲーションや販促といった各種情報の呈示が可能となる。
【００３２】
あるいは、起動時に、周辺情報取得部１４によって、周囲の明るさまたは撮影部１１から取得した画像の明るさを取得し、解析基礎情報構築部１６では、その取得した明るさ情報をもとに、画像処理のための閾値を調整したり、コントラストフィルタのパラメータを調整するなどといった処理を行うこともできる。これにより、撮影部１１で取得した画像が薄暗い画像であっても、認識対象のマーカや顔写真、ロゴマーク等を認識可能になる。例えば、照明が暗めの部屋で撮影した場合、画像の明かるさをもとに二値化の閾値を１０％小さくする。この調整によって、ロゴや写真の周囲が若干暗くなっていても、安定的にそれらの抽出を行うことができる。そして更に、同じく解析基礎情報として与えられるテンプレートとその抽出した認識対象としてのロゴや写真とのマッチング処理を行って、安定的に認識ができるようになる。
【００３３】
また、起動時に、周辺情報取得部１４によって、周囲の明るさまたは撮影部１１から取得した画像の明るさを取得し、解析基礎情報構築部１６では、暗い場合には、照明があてられた看板や光った看板を対象とした登録情報から解析基礎情報を構築する。これにより、暗いときには見え方が変わる看板であっても認識可能になる。更に、画面内のコンポーネントの色が周囲の明るさに応じた配色に調整することができるので、情報を見やすく呈示できる。
【００３４】
［第２実施形態］
本発明の第２実施形態に係る情報呈示システムは、図２（Ａ）に示すように、情報呈示端末１０Ａとサーバ１０Ｂとに分割され、それらを通信回線によって接続するようにしたものである。この場合、情報呈示端末１０Ａは、上記撮影部１１と上記関連情報取得部１２と上記呈示部１３とを含み、上記サーバ１０Ｂは、上記周辺情報取得部１４と上記記憶部１５と上記解析基礎情報構築部１６とを含む。
【００３５】
なお、上記周辺情報取得部１４、上記記憶部１５及び上記解析基礎情報構築部１６を含むサーバ１０Ｂは一つに限らず、複数用意され、上記情報呈示端末１０Ａの関連情報取得部１２は、それら複数のサーバ１０Ｂから解析基礎情報を取得するようにしても良い。また、上記サーバ１０Ｂの解析基礎情報構築部１６は、当該サーバ１０Ｂ以外の複数のサーバから情報を取得して、それらの情報を組み合わせた上で、上記情報呈示端末１０Ａへ送信する解析基礎情報を構築するようにしても良い。
【００３６】
また、情報呈示端末１０Ａを携帯電話機として構成した場合、図２（Ｂ）に示すように、情報呈示端末１０Ａとサーバ１０Ｂとの間の通信回線は、基地局２０とネットワーク３０とによって構成されるものである。この場合、サーバ１０Ｂの周辺情報取得部１４は、情報呈示端末１０Ａが備えるセンサやＧＰＳの情報を周辺情報として取得するだけでなく、基地局２０が提供する位置情報や環境情報等も、周辺情報として取得する。
【００３７】
あるいは、情報呈示端末１０ＡをＰＤＡ等のインターネット接続機能を備えた携帯型情報機器とした場合には、通信回線はインターネットを含む。この場合には、情報呈示端末１０Ａとサーバ１０Ｂが同一国内に存在するとは限らず、よって、サーバ１０Ｂの周辺情報取得部１４は、情報呈示端末１０Ａが備える時計から日時情報を周辺情報として適宜取得しても良い。
【００３８】
このような構成においては、情報呈示端末１０Ａの起動時、もしくは、サーバ１０Ｂから解析基礎情報をダウンロードするときに、サーバ１０Ｂ上の解析基礎情報構築部１６で最適な解析基礎情報を構築する。
【００３９】
例えば、情報呈示端末１０Ａとしての携帯電話機の機種に応じて、サーバ１０Ｂ上で二値化（画像処理）の閾値を調整して、解析基礎情報を構築したり、さらには、画像処理フィルタを設定して、解析基礎情報を構築したりする。即ち、携帯電話機は多数の機種が存在し、各機種毎に光学性能が異なる。このため、適した画像処理パラメータを設定しなければ、安定した画像認識処理を行うことは困難である。例えば、機種によっては、画像がボケるため、二値化の閾値を高めに設定すると効果的である。また、画像がボケる機種では、画像処理フィルタとして、エッジ強調フィルタを設定することは、安定的な画像認識に効果的である。
【００４０】
あるいは、携帯電話機の機種に応じて、また、解析基礎情報に組込まれる登録情報の数及び／または相互の類似度に応じて、テンプレートサイズを調整するようにしても良い。例えば、解析基礎情報として統合する登録情報の相互の類似度が予め設定した値以上の場合は、テンプレートマッチングを行うためのテンプレートサイズを縦横２倍とし、その値を解析基礎情報に含める。こうすることによって、誤認識しやすい環境であっても、より高精度なマッチング処理を実現することができる。また、登録情報の相互の類似度が低い場合は、登録数に応じて、テンプレートサイズを小さくする。つまり、登録数が多い場合は、マッチング処理に要する時間を短縮するために、誤認識しない範囲（相互の類似度が設定値以上にならない範囲）でテンプレートサイズを小さくするよう試みる。また、登録情報の相互の類似度が低い場合は、テンプレートのデータ階調を下げても良い。例えば、通常は２５６階調のグレイスケールだが、これを１６階調に下げても良い。また、登録情報の相互の類似度が低い場合は、誤認識を避けるために、マッチングの閾値を高く設定しても良い。
【００４１】
［第３実施形態］
本発明の第３実施形態に係る情報呈示システムは、上記第２実施形態と同様に、情報呈示端末１０Ａとサーバ１０Ｂとに分割され、それらを通信回線によって接続するようにしたものである。但し、本実施形態においては、図３に示すように、情報呈示端末１０Ａは、上記撮影部１１、上記関連情報取得部１２、上記呈示部１３、上記周辺情報取得部１４、及び上記解析基礎情報構築部１６を含み、上記サーバ１０Ｂは上記記憶部１５のみを含むように構成している。
【００４２】
このような構成によれば、サーバ１０Ｂから取得した登録情報を情報呈示端末１０Ａ上で解析基礎情報として構築するので、ひとたびダウンロードすれば、情報呈示端末１０Ａの周辺情報にこまめに対応させることが可能になる。
【００４３】
［第４実施形態］
本発明の第４実施形態に係る情報呈示システムも、上記第２及び第３実施形態と同様に、情報呈示端末１０Ａとサーバ１０Ｂとに分割され、それらを通信回線によって接続するようにしたものである。但し、本実施形態においては、図４に示すように、情報呈示端末１０Ａは、上記撮影部１１と上記呈示部１３のみを有し、他の上記関連情報取得部１２、上記周辺情報取得部１４、上記記憶部１５、及び上記解析基礎情報構築部１６は上記サーバ１０Ｂに構成しているものである。
【００４４】
このような構成とすれば、ユーザは、事前に情報呈示端末１０Ａに解析基礎情報をダウンロードする必要がなく、また、撮影した画像とともにサーバ１０Ｂに送信する該情報呈示端末１０Ａの周辺情報に対応した最適な解析基礎情報に基づく処理を行うことができる。
【００４５】
［第５実施形態］
本発明の第５実施形態に係る情報呈示システムは、上記第２実施形態の構成において、図５（Ａ）に示すように、サーバ１０Ｂに更に上記関連情報取得部１２と同等の機能を持つ第二関連情報取得部１７を設けたものである。ここで、上記第二関連情報取得部１７は、上記関連情報取得部１２が取得した解析基礎情報よりも多くの解析基礎情報から関連情報を取得するものである。
【００４６】
即ち、本実施形態においては、図５（Ｂ）に示すように、サーバ１０Ｂの周辺情報取得部１４は、通信回線を介して、情報呈示端末１０Ａが有するセンサ等からＧＰＳ情報や時間情報、更には明るさ等の情報を取得するための撮影部１１からの画像等の周辺情報（基地局２０から送信されてくる周辺情報も含む）を取得し、解析基礎情報構築部１６は、その取得した周辺情報に基づいて、優先度の高い解析基礎情報と、それよりも優先度の低い第二解析基礎情報を構築する。そして、上記解析基礎情報は情報呈示端末１０Ａの関連情報取得部１２に通信回線を介してダウンロードされ、また、上記第二解析基礎情報は第二関連情報取得部１７に与えられる。
【００４７】
このような構成とすることにより、上記情報呈示端末１０Ａの関連情報取得部１２で関連情報を取得できなかった場合であっても、上記第二関連情報取得部１７の結果を上記呈示部１３が呈示することが可能となる。
【００４８】
例えば、情報呈示端末１０Ａとして携帯電話機を考えた場合、携帯電話機は機種によって記憶容量が異なる。また、ユーザの使い方によって、利用できる記憶容量が異なる。更に、機種によって、処理速度が異なる。従って、機種毎にダウンロードする解析基礎情報の容量を変更することにより、携帯電話機上での処理に必要以上の負担をかけないようにすることが好ましい。そこで、本実施形態では、ダウンロードしなかった解析基礎情報はサーバ１０Ｂ上で保持し、携帯電話機から送信される画像、もしくは画像の一部を対象として該ダウンロードしなかった解析基礎情報である第二解析基礎情報から関連情報の取得処理をサーバ１０Ｂの第二関連情報取得部１７で行う。携帯電話機上で関連情報を取得できた場合は、その情報を呈示部１３に表示し、携帯電話機上では関連情報を取得できなかったが、サーバ１０Ｂ上で取得できた場合、もしくは、携帯電話機上でも処理しているが、サーバ１０Ｂ上のほうが早く情報を取得できた場合には、サーバ１０Ｂ上で取得した情報を携帯電話機の呈示部１３上で呈示する。
【００４９】
例えば、携帯電話機の位置情報に基づいて周囲５００ｍのテンプレートセットを解析基礎情報として取得して、携帯電話機にダウンロードする。ユーザは、このテンプレートセットによって周辺のお店の情報を得ながら街を散策できる。ユーザが最初にテンプレートセットを取得した位置から５００ｍ以上離れると、携帯電話機内に取得しているテンプレートでは対応する情報を得られなくなる。しかし、本実施形態では、携帯電話機で取得した画像をサーバ１０Ｂの第二関連情報取得部１７にも送信している。サーバ１０Ｂでは、最初にユーザが周囲５００ｍのテンプレートセットをダウンロードする際に、同時に周囲４ｋｍのテンプレートセットを第二関連情報取得部１７に渡している。よって、ユーザが携帯電話機内から情報を取得できなくても、サーバ上のこの第二関連情報取得部１７で周囲４ｋｍのテンプレートセットから情報を取得できる。サーバ１０Ｂ上で情報を取得し、携帯電話機上で情報が取得できていない場合、サーバ１０Ｂ上で取得した情報を表示するので、ユーザは携帯電話機の容量を超える領域のテンプレートデータを利用することができる。また、このとき、携帯電話機へ現在の位置に基づく周囲５００ｍのテンプレートセットが送信されても良い。こうすると、その位置から５００ｍ以内は、再び携帯電話機だけで情報を取得できるので、軽快な操作感を実現できる。
【００５０】
以上実施形態により説明したように、環境や利用機種等、各種の情報に基づいて、システムの認識対象となるテンプレートデータや、そのテンプレートデータに関連付けする情報、また、認識処理上の各種パラメータ等、利用する情報を切り替えることで、利用環境により、状況に応じた最適な情報を呈示できるようになる。
【００５１】
以上実施形態に基づいて本発明を説明したが、本発明は上述した実施形態に限定されるものではなく、本発明の要旨の範囲内で種々の変形や応用が可能なことは勿論である。
【００５２】
例えば、上記第５実施形態においては、第二関連情報取得部１７を備え、解析基礎情報構築部１６が解析基礎情報と第二解析基礎情報とを構築するものとしたが、更に第三関連情報取得部、第四関連情報取得部、…といった複数の関連情報取得部をサーバ１０Ｂに構成し、解析基礎情報構築部１６が更に第三解析基礎情報、第四解析基礎情報、…を構築するようにしても良い。
【図面の簡単な説明】
【００５３】
【図１】図１（Ａ）は、本発明の第１実施形態に係る情報呈示システムのブロック構成図であり、図１（Ｂ）は、解析基礎情報構築部の動作フローチャートを示す図である。
【図２】図２（Ａ）は、本発明の第２実施形態に係る情報呈示システムのブロック構成図であり、図２（Ｂ）は、情報呈示端末を携帯電話機として構成した場合の情報呈示システムの構成を示す図である。
【図３】図３は、本発明の第３実施形態に係る情報呈示システムのブロック構成図である。
【図４】図４は、本発明の第４実施形態に係る情報呈示システムのブロック構成図である。
【図５】図５（Ａ）は、本発明の第５実施形態に係る情報呈示システムのブロック構成図であり、図５（Ｂ）は、解析基礎情報構築部と関連情報取得部及び第二関連情報取得部との関係を説明するための図である。
【符号の説明】
【００５４】
１０…情報呈示システム、  １０Ａ…情報呈示端末、  １０Ｂ…サーバ、  １１…撮影部、  １２…関連情報取得部、  １３…呈示部、  １４…周辺情報取得部、  １５…記憶部、  １６…解析基礎情報構築部、  １７…第二関連情報取得部、  ２０…基地局、  ３０…ネットワーク。
【図１】
2006157265.tif 000003
【図２】
2006157265.tif 000004
【図３】
2006157265.tif 000005
【図４】
2006157265.tif 000006
【図５】
2006157265.tif 000007